(57)【要約】【課題】フィルター自動清掃機能を備えた空気調和機において、フィルターを前後に駆動する駆動装置に掛かる負荷を低減した空気調和機を提供することを目的とする。【解決手段】ダストボックス１１を構成する上部ボックス１１ａに、レバー１５の一端に回動自在に軸支された円筒状の清掃ローラー１４を設け、前記レバー１５の他端を、前記上部ボックス１１ａの上部内壁から垂下する支持片１６により軸支する。又、上部内壁と前記レバー１５との間にはスプリング１７を介装し、同スプリング１７により前記清掃ローラー１４を若干下方に付勢する。【選択図】  図４
2005009729.tif 000002
【特許請求の範囲】
【請求項１】
吸込口と吹出口とを備えた本体内に、前後摺動自在に装着されるフィルターと、同フィルターに付着した塵埃を除去する清掃手段と、除去された塵埃を貯留するダストボックスとを備えてなる空気調和機において、
前記清掃手段が、前記フィルターの一面を清掃する円筒状の清掃ローラーと、他面を清掃するブラシ又は円筒状の清掃ローラーとで構成されてなることを特徴とする空気調和機。
【請求項２】
前記清掃ローラーの外周側に粘着剤を含有した吸着部材を巻回し、同吸着部材により前記フィルターに付着した塵埃を除去してなることを特徴とする請求項１に記載の空気調和機。
【請求項３】
前記フィルターが、裏面に移動方向に沿ってラックを備えた枠体と同枠体内に一体に形成された網部とからなり、前記ラックに歯合する歯車を備えた駆動装置により前記フィルターが前後に移動する一方、同フィルターの上面側に前記清掃ローラーを設け、下面側にスプリングにより付勢されるブラシを設けてなることを特徴とする請求項１乃至請求項２に記載の空気調和機。
【請求項４】
前記清掃ローラーが、前記ダストボックスの上部内壁に支承されるレバーにより回動自在に軸支され、上部内壁とレバーとに介装されたスプリングにより前記フィルターの上面に付勢されてなることを特徴とする請求項１乃至請求項３に記載の空気調和機。
【請求項５】
前記清掃ローラーが、上面及び下面に一対となって前記フィルターを挟着するように設けられる一方、いずれか一方の清掃ローラーに駆動装置の歯車に歯合する歯車を装着し、前記駆動装置の駆動により前記清掃ローラーを回動させることにより、前記フィルターを前後に移動させてなるようにしたことを特徴とする請求項１乃至請求項２に空気調和機。
【発明の詳細な説明】
【０００１】
【発明の属する技術分野】
本発明は、フィルターの自動清掃機能を備えた空気調和機に関わり、より詳細には、フィルターを摺動させる駆動力を低減させた構成に関する。
【０００２】
【従来の技術】
従来の空気調和機も基本的な構成は本願と同一であるので、図２を用いて説明する。図２で示す空気調和機は、ベース１と下部パネル２と上部パネル３とで本体を構成し、同本体の上面に吸込口４を設けるとともに、下面前部に風向偏向板５ａを備えた吹出口５を設けている。前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられている。
【０００３】
前記吸込口４の裏面には、吸込まれた空気に含有される塵埃を補集、吸着するフィルターが装着され、本体の内部前方には前記フィルターが通過する通過口を前後に備え、これを前後に駆動する駆動装置を下部に装着したダストボックスが設けられている。
【０００４】
フィルター５０は、図７（Ｂ）で示すように、中央に長手方向に沿って梁を備えた枠体５０ａと、同枠体５０ａ内に一体となって樹脂成型された網部５０ｂとからなり、前記梁の裏面には歯型を連続的に形成したラック５０ｃが設けられている。ダストボックス４０は図７（Ａ）で示すように、上部に、スプリング４４に付勢されるブラシ４２とブラシ４３とを前後して備え、下部にスプリング４６により付勢されるブラシ４５を設けている。又、ダストボックス４０の下部には、ピニオンギア４９ａを装着した駆動モータ４９と、前記ピニオンギア４９ａに歯合する歯車４７及び４８を備えた駆動装置４１が設けられている。
【０００５】
前記駆動モータ４９が始動すると、前記歯車４８及び４７が回転駆動され、同歯車４７に歯合する前記ラック５０ｃにより前記ブラシ４２及びブラシ４３と前記ブラシ４５に挟着された前記フィルター５０は前方に駆動され、その表面に堆積した塵埃を除去されるようになっている。
【０００６】
しかしながら、前記フィルター５０は、スプリングにより付勢された前記ブラシ４２及びブラシ４３と前記ブラシ４５に挟着された状態で摺動するため、かなりの駆動力を要し、前記歯車４８及び４７及び前記駆動モータ４９に掛かる負荷が大きくこれらの小型化が困難であるというような問題点を抱えていた。
【０００７】
【発明が解決しようとする課題】
本発明は上記問題点に鑑み、駆動部の歯車及び駆動モータに掛かる負荷を低減できるようにして、駆動装置の小型化及び省電力化を図れる空気調和機を提供することを目的とする。
【０００８】
【課題を解決するための手段】
本発明は上記課題を解決するため、吸込口と吹出口とを備えた本体内に、前後摺動自在に装着されるフィルターと、同フィルターに付着した塵埃を除去する清掃手段と、除去された塵埃を貯留するダストボックスとを備えてなる空気調和機において、
前記清掃手段が、前記フィルターの一面を清掃する円筒状の清掃ローラーと、他面を清掃するブラシ又は円筒状の清掃ローラーとで構成されてなる。
【０００９】
また、前記清掃ローラーの外周側に粘着剤を含有した吸着部材を巻回し、同吸着部材により前記フィルターに付着した塵埃を除去してなる構成となっている。
【００１０】
また、前記フィルターが、裏面に移動方向に沿ってラックを備えた枠体と同枠体内に一体に形成された網部とからなり、前記ラックに歯合する歯車を備えた駆動装置により前記フィルターが前後に移動する一方、同フィルターの上面側に前記清掃ローラーを設け、下面側にスプリングにより付勢されるブラシを設けてなる構成となっている。
【００１１】
また、前記清掃ローラーが、前記ダストボックスの上部内壁に支承されるレバーにより回動自在に軸支され、上部内壁とレバーとに介装されたスプリングにより前記フィルターの上面に付勢されてなる構成となっている。
【００１２】
更に、前記清掃ローラーが、上面及び下面に一対となって前記フィルターを挟着するように設けられる一方、いずれか一方の清掃ローラーに駆動装置の歯車に歯合する歯車を装着し、前記駆動装置の駆動により前記清掃ローラーを回動させることにより、前記フィルターを前後に移動させてなるようにした構成となっている。
【００１３】
【発明の実施の形態】
以下、本発明の実施の形態を、添付図面に基づいた実施例として詳細に説明する。
図１は本発明による空気調和機がフィルターを前面に引き出した状態を示す斜視図であり、図２は本体の断面図である。図３は第一実施例に使用されるフィルターを示す斜視図であり、図４は第一実施例によるダクトボックスの断面図である。図５は第二実施例に使用されるフィルターを示す斜視図であり、図６は第二実施例によるダクトボックスの断面図である。
本発明による空気調和機は、図１及び図２で示すように、壁面に据付けられるベース１と、同ベース１の上方前部に装着され前端から後端近傍に至り吸込口４を形成した上部パネル３と、下方前部に装着され複数の風向偏向板５ａを備える吹出口５を形成した下部パネル２とで本体を構成している。
【００１４】
前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられ、又前記前部熱交換器６ａと前記後部熱交換器６ｂの下方には、これらから滴下する凝縮水を受ける露受皿８が設けられている。
【００１５】
前記吸込口４の裏面には、吸込まれた空気に含有される塵埃を吸着するフィルター１０が前後摺動自在に装着され、本体の内部前方には前記フィルター１０が通過する通過口を前後に備えたダストボックス１１が設けられ、又その下部には前記フィルター１０を本体の前面側に引出すとともに、同本体内に自動的に収納する駆動装置１２が設けられている。また、前記上部パネル３の前端と前記下部パネル３の前端との間には、前記フィルター１０が本体前面に挿脱自在となるようにスリット状の挿脱口９が形成されている。
【００１６】
次に、第一実施例について説明する。第一実施例に使用されるフィルター１０は、図４の裏面側からの斜視図で示すように、中央に摺動方向に沿って桟を形成し、両側縁に前記本体に形成されたガイドレールに案内されるレール１０ｄを形成した軟質樹脂材からなる薄肉状の枠体１０ａと、同枠体１０ａ内に一体となって樹脂成型された左右一対の網部１０ｂとからなり、前記桟には、直線上に歯型を連続的に形成したラック１０ｃが形成されている。
【００１７】
前記ダストボックス１１は、図４で示すように、上下に２分割された上部ボックス１１ａと下部ボックス１１ｂとからなり、これらの接合部前端と後端には前記フィルター１０が通過するスリット状の通過口が形成されている。前記上部ボックス１１ａには、レバー１５の一端に回動自在に軸支された円筒状の清掃ローラー１４が設けられており、前記レバー１５の他端は、前記上部ボックス１１ａの上部内壁から垂下する支持片１６により軸支されている。又、上部内壁と前記レバー１５との間にはスプリング１７が介装され、同スプリング１７により前記清掃ローラー１４は若干下方に付勢されるようになっている。
【００１８】
前記清掃ローラー１４の外周面には粘着剤を含有した吸着部材１４ａが巻回されており、同清掃ローラー１４に前記フィルター１０の上面が接触しながら移動すると、その表面に堆積した塵埃を前記吸着部材１４ａに吸着されるようになっている。また、前記下部ボックス１１ｂには、スプリング１９により付勢され前記フィルター１０の裏面に接触して、付着した塵埃を除去するブラシ１８が設けられている。
【００１９】
前記ダストボックス１１の下部には、方形状の筐体１２ａに覆われて駆動装置１２が設けられている。同駆動装置１２は前記筐体１２ａ内に固定され回転軸にピニオン歯車２２を嵌着した駆動モータ２３と、前記ピニオン歯車２２に歯合する大径の第一歯車２１と、同第一歯車２１に歯合するとともに、後述する前記フィルターラック１０ｃと歯合する小径の第二歯車２０とから構成されている。
【００２０】
次に、動作について説明する。前記駆動モータ２３が始動すると、前記ピニオン歯車２２に歯合する第一歯車２１及び第二歯車２０が回転駆動され、同第二歯車２０に歯合するラック１０ｃにより前記フィルター１０が前方に向かい移動する。同フィルター１０が移動すると、その裏面に付着した塵埃は前記ブラシ１８と接触することによりかき採られ、前記ダストボックス１１内に貯留されるようになっている。又、前記フィルター１０の上面に堆積した塵埃は、回動する前記清掃ローラー１４の外周面に接触することにより、粘着剤を含有した前記吸着部材１４ａに大径な塵埃から微細な塵埃まで吸着されて清掃が行われるようになっている。前記フィルター１０の上面に堆積した塵埃が回動する前記清掃ローラー１４で清掃されることにより、前記フィルター１０の移動、駆動抵抗が従来に比較して低減できるようになっている。
【００２１】
次に、第二実施例について説明する。第二実施例で使用するフィルター２４は図５で示すように、両側縁にレール２４ｃを備えた矩形状の枠体２４ａと、同枠体２４ａ内に一体に形成された網部２４ｂとからなっている。ダストボックス２５の前記フィルター２４の上面側には、上記した第一実施例と同様に、レバー２８の一端に回動自在に軸支され、吸着部材２７ａを巻回した円筒状の上部清掃ローラー２７が設けられており、前記レバー２８の他端は、上部内壁から垂下する支持片２９により軸支されている。又、上部内壁と前記レバー２８との間にはスプリング３０が介装され、同スプリング３０により前記上部清掃ローラー２７は前記フィルター２４側に付勢されるようになっている。
【００２２】
前記フィルター２４の下面側には前記清掃ローラー２７と同等の下部清掃ローラー３０が設けられるとともに、同清掃ローラー３０の軸一端には歯車３０ｂが嵌着されている。前記ダストボックス２５の下部にはピニオン歯車３２を装着した駆動モータ３３と、同ピニオン歯車３２と前記歯車３０ｂに歯合する歯車３１とを備えた駆動装置２６が設けられており、前記上部清掃ローラー２７が前記スプリング３０により付勢されると、前記上部清掃ローラー２７と前記下部清掃ローラー３０とで前記フィルター２４を挟着するようになっている。
【００２３】
前記駆動モータ３３が始動すると、これに伴い前記下部清掃ローラー３０が回動し、前記フィルター２４が前面側に移動するとともに、前記上部清掃フィルター２７が共に回動するようになっている。前記フィルター２４が移動するに伴いその上面及び下面に付着した塵埃は、前記上部フィルター２７の吸着部材２７ａと、前記下部フィルター３０の吸着部材３０ａに吸着され清掃が行われるようになっている。
【００２４】
前記上部清掃ローラー２７と前記下部清掃ローラー３０とが前記フィルター２４の清掃を行う一方、回動しながら同フィルター２４を移動させる駆動手段となることにより、前記フィルター２４の駆動抵抗を極力低減でき、前記駆動装置２６の小型化、低電力化を図れるようになっている。
【００２５】
【発明の効果】
以上説明したように本発明によると、ダストボックス内に円筒状に形成された清掃ローラーを設け、同清掃ローラーでフィルターの上面あるいは下面に付着、堆積した塵埃を吸着することにより、フィルターを前後に駆動する駆動装置の負荷を低減でき、その小型化をはかれるとともに、騒音等の発生を防止することのできる空気調和機となる。
【図面の簡単な説明】
【図１】本発明による空気調和機を示す外観斜視図である。
【図２】本発明による空気調和機の断面図である。
【図３】第一実施例によるフィルターの斜視図である。
【図４】第一実施例によるダストボックスの断面図である。
【図５】第二実施例によるフィルターの斜視図である。
【図６】第二実施例によるダストボックスの断面図である。
【図７】（Ａ）は従来例によるダストボックスを示す断面図である。
（Ｂ）は従来例によるフィルターを示す斜視図である。
【符号の説明】
１  ベース
２  下部パネル
３  上部パネル
４  吸込口
５  吹出口
５ａ  風向偏向板
６  熱交換器
６ａ  前部熱交換器
６ｂ  後部熱交換器
７  送風ファン
８  露受皿
９  挿脱口
１０  フィルター
１０ａ  枠体
１０ｂ  網部
１０ｃ  ラック
１０ｄ  レール
１１  ダストボックス
１１ａ  上部ボックス
１１ｂ  下部ボックス
１２  駆動装置
１２ａ  筐体
１４  清掃ローラー
１４ａ  吸着部材
１５  レバー
１６  支持片
１７  スプリング
１８  ブラシ
１９  スプリング
２０  第二歯車
２１  第一歯車
２２  ピニオン歯車
２３  駆動モータ
２４  フィルター
２４ａ  枠体
２４ｂ  網部
２４ｃ  レール
２５  ダストボックス
２６  駆動装置
２７  上部清掃ローラー
２７ａ  吸着部材
２８  レバー
２８ａ  スプリング
２９  支持片
３０  下部清掃ローラー
３０ａ  吸着部材
３０ｂ  歯車
３１  歯車
３２  ピニオン歯車
３３  駆動モータ
【図１】
2005009729.tif 000003
【図２】
2005009729.tif 000004
【図３】
2005009729.tif 000005
【図４】
2005009729.tif 000006
【図５】
2005009729.tif 000007
【図６】
2005009729.tif 000008
【図７】
2005009729.tif 000009